(57)【特許請求の範囲】
【請求項１】
バイブレータ（１）であって、
前部（５）と、電気モータ（２５）によって発生されたバイブレーションを身体に伝達するように構成された後部（７）とを含み、女性の生体構造に適合した湾曲した筐体３と、
前記筐体（３）内部において、電源（２１）、制御ユニット、データを保管するためのメモリユニット、外部デバイスとデータ通信するための通信ユニット、及びバイブレーションを発生させる前記電気モータ（２５）と、を備え、
前記バイブレータ（１）を固定機構によって衣料品に固定するための締結手段を備え、該締結手段の一部は前記筐体（３）の締結部（１３）に取り外し自在に取り付けられ、前記前部（５）と面一状である、バイブレータ。
【請求項２】
前記締結手段は磁気的に構成される、請求項１に記載のバイブレータ（１）。
【請求項３】
前記締結手段は磁性材料の締結板（１１）と前記締結部（１３）に配置された少なくとも１つの磁石（１９）とを含む、請求項２に記載のバイブレータ（１）。
【請求項４】
前記後部（７）は、身体部位刺激のためのバイブレーション部として構成された突出部（１０）を含む、請求項１〜３のいずれか１項に記載のバイブレータ（１）。
【請求項５】
前記筐体（３）の前記前部（５）と前記締結板（１１）との間の表面移行部は実質的に滑らかである、請求項３に記載のバイブレータ（１）。
【請求項６】
前記筐体（３）は頭部（９）を備え、該頭部（９）と前記後部（７）との間の移行部は可撓部（１５）によって形成される、請求項３と５のいずれか１項に記載のバイブレータ（１）。
【請求項７】
前記頭部は、ヒンジの軸として機能する前記可撓部（１５）を中心に、実質的に１８０度折り曲げ可能である、請求項６に記載のバイブレータ（１）。
【請求項８】
前記筐体（３）は、前記電源（２１）の充電に適応した接続素子（１７）を含む、請求
項１〜７のいずれか１項に記載のバイブレータ（１）。
【請求項９】
前記接続素子（１７）は、ＵＳＢタイプＡポートとの電気的接続に適応したＵＳＢタイプＡプラグとして構成される、請求項８に記載のバイブレータ（１）。
【請求項１０】
前記筐体（３）は、前記電源（２１）の充電に適応した接続素子（１７）を含み、
前記頭部（９）が１８０度折り曲げられ且つ締結板（１１）が取り外されると、接続素子（１７）が露出される、請求項６と７のいずれか１項に記載のバイブレータ（１）。
【請求項１１】
締結板（１１）を除き、前記筐体（３）の外部要素はシリコン材料を含む、請求項３、５〜７、１０のいずれか１項に記載のバイブレータ（１）。
【請求項１２】
前記通信ユニットは、双方向の無線通信に適応したＢｌｕｅｔｏｏｔｈ（登録商標）モジュールを含む、請求項１〜１１のいずれか１項に記載のバイブレータ（１）。
【請求項１３】
前記バイブレータ（１）から身体にバイブレーションを伝達するように適応した、小型の複数のバイブレーションモータを含む、請求項１〜１２のいずれか１項に記載のバイブレータ（１）。
【発明の詳細な説明】
【技術分野】
【０００１】
本発明はバイブレータに関する。
【背景技術】
【０００２】
バイブレータは、性的刺激や性的なマッサージを目的とするエロティックなおもちゃであり、人への医療的適用にも用いられ得る。このため、バイブレータは、バイブレーション、或いはより一般的な用語における振動及び／又は動きを生じさせ、これは偏心ウエイトを備えた電気モータによって通常発生される。バイブレータは、これを用いて人を刺激するため、外性器又は内性器などの身体の特に敏感な部分に接触させる。
【０００３】
身体の敏感な部分に配置されるバイブレータは、女性の身体の生体構造に特に適合される。バイブレータによって生じたバイブレーションによって、目的の身体の部位が刺激される。
【０００４】
このタイプのバイブレータは、例えば特許文献１に記載されており、平坦な実質的に三角形の形状である。また、既知のバイブレータでは、その機能を容易に起動するため、筐体の外面に表示フィールドやコントロールパッドが包含される。バイブレーションは、駆動軸の偏心ウエイトを回転させる電気モータによって発生される。電源は、好ましくは再充電可能であって筐体に配置されたバッテリによって供給される。既知のバイブレータの不利な点は外向きのコントロールパッドによって制御されることである。これは、ユーザがある機能から他の機能に変更したいときに身体上の位置からバイブレータを移動させる必要性に伴う不便性のため不利である。さらに、バイブレータをその動作位置に固着する手段もない。
【０００５】
性産業では、特に料金の支払いに対して写真や映像を提供することで現在のところその売上げの多くをインターネットから得ている。顧客とサービス提供者との相互のやりとりは、顧客がサービス提供者からインターネットを介してリアルタイムで映像や音声信号を受信する、ウエブカメラ又はスマートフォンを介して接続するアプリケーションプログラム（「アプリ」）の使用によって可能になるものなどのように、増加傾向でさらに広がってきている。技術的可能性のさらなる発展によって、インターネットメディアを介した顧客とサービス提供者との通信や相互のやりとりにおける新しい方法が探求されている。サービス提供者によるバイブレータの使用は人気の高い変形である。
【０００６】
さらに、ソーシャルネットワークにおいて世界的にデータ交換される時代において、データ共有が顕著に増加している。同様に、スマートフォンや、タブレット型コンピュータ、及びその他のモバイルコンピュータデバイスで使用可能ないわゆる「アプリ」と呼ばれるアプリケーションプログラムの使用を介して、あらゆるタイプの電気デバイスを制御する技術的可能性も高くなっている。
【先行技術文献】
【特許文献】
【０００７】
【特許文献１】英国出願公開第２４７９７３５Ａ号公報
【発明の概要】
【発明が解決しようとする課題】
【０００８】
故に、本発明の目的は、安価に生産可能であり、無線データ通信交換をするように適応され、故に無線で動作可能であり、そしてその動作位置に簡単に固着可能である、簡易な構造で寸法の小さいバイブレータを提供することである。
【課題を解決するための手段】
【０００９】
本発明においてバイブレータが提供され、該バイブレータは、前部と後部とを備え且つ女性の生体構造に適合された湾曲した筐体を有し、筐体の内部に、電源、制御ユニット、メモリユニット、通信ユニット、及び電気モータを有し、後部はバイブレータから身体にバイブレーションを伝達するように適応され、バイブレータを衣料品に締結するため、筐体の締結部に取り外し可能に取り付けられて前部と面一状である締結手段が提供される。バイブレータの簡易な構造と設計とにより、寸法を小さく、例えば、非常に小型化され、干渉を受けないほどとすることができる。バイブレータは、その平坦で、わずかに湾曲し、生体構造に適した形状のため、快適に装着可能であり、外部からほぼ特定されない。例えばユーザの下着などに締結される方法は、固定機構の使用により確実且つ簡易であり、その結果としてユニットを快適に装着でき、取扱いが容易である。
【００１０】
締結手段が磁気を利用して構成されることは有利である。締結手段は、磁性材料の締結板と締結部に配置された少なくとも１つの磁石とを好ましくは含む。締結板は、例えばハイグレードフェライト鋼などの強磁性材料製であり、磁石は、例としてネオジム・鉄・ボロン合金又は同等の材料で製造されるネオジム磁石である。磁性締結手段の代わりに、対向する要素間の衣料品の層を固定するように設計されたインターロックスナップボタンなどのその他のタイプの固定機構を用いることも、代替として可能である。これらのいくつかのインターロック要素は、締結板が筐体にしっかりと確実に取り付けられることを確かにするために提供され得るが、いずれにせよ容易に取り外すことができる。
【００１１】
また、後部が、身体部分を刺激するためのバイブレータ部として構成された突出部を含むことも有利である。つまり、後部を、クリトリス領域などの敏感な身体部分にバイブレーションを効率的に伝達するように適応された形状にすることが可能である。また、複数の突出部が提供され、そのそれぞれがバイブレーションモータを備え、モータが互いに個別に駆動されるか、又はユニットとして駆動されることができるものも考えられる。
【００１２】
筐体前部から締結手段への移行部表面は好ましくは実質的に滑らかである。つまり、本発明のバイブレータを装着するときに、好ましくない感覚をもたらしうる端部や角部などが身体の敏感な領域に存在しないため、デバイスを快適に装着可能である。
【００１３】
また、筐体が頭部を含み、頭部と後部との間の移行部が可撓部によって形成されることも好ましい。ヒンジの軸として機能する可撓部を中心に、頭部を実質的に１８０度折り曲げるか又は裏返して開くことが可能であることは有利である。
【００１４】
筐体は、電源を充電するように適応された接続素子を有利には含む。接続素子は、ＵＳＢタイプＡポートに差し込むように設計されて電気的接続を得るＵＳＢタイプＡプラグとして好ましくは構成される。
【００１５】
頭部を１８０度開き、締結板を取り除くと、筐体の接続素子が好ましくは露出される。このように、バイブレータの蓄電ユニット、つまりバッテリを充電するための接続部を露出する簡易な機構が得られる。そのために、締結板を取り外し、頭部を折り返すか又は後ろに開くことが単に必要とされる。故に、締結板以外に紛失し得る個別の部品はない。
【００１６】
締結板を除く筐体の外部要素がシリコン材料を含むことは特に好ましい。シリコン材料は、医学的に安全であり、衛生的で、皮膚に対して中性である。また、加工しやすく、産業上広く使用され、安価である。
【００１７】
通信ユニットは、双方向の無線通信に適応されたＢｌｕｅｔｏｏｔｈ（登録商標）モジュールを好ましくは含む。つまり、スマートフォン、タブレット型コンピュータ、パソコン等からの制御など遠隔制御が可能になる。このため、バイブレータは、インターネットを介して、即ち遠隔のコンピュータ又はスマートフォンによって制御されることも可能になる。これは本発明のバイブレータの使用についての新しい可能性を提案する。
【００１８】
また、バイブレーションをバイブレータから身体に伝達するように適応された、好ましくは小型である複数のバイブレーションモータを、バイブレータが含むことも有利である。
【００１９】
本発明のバイブレータは無線で遠隔制御可能であり、小型部品を使用することでバッテリの長寿命を備え、とはいえバイブレーション効果は相応の有用な効果をユーザにもたらすのに十分なものである。
【００２０】
締結又は固着機能により、直接的に身に着けた衣料品上の最良の位置からバイブレータが意図せず変位又は離脱することが防止される。同様に、ユーザは少々の手動操作によりバイブレータを下着等の衣料品から取り外し、他の箇所に移動させるか又は完全に取り除くことが可能である。締結板は、バイブレータの前面又は外面に取り付けられ、それと面一状であるので、端部などの煩わしい移行部は存在しない。このように、ユーザにとってさらに使いやすいものとなっている。
【００２１】
また、バイブレータは任意の種類のコントロールパッド又は操作要素を有さず、また遠隔地から実質的に操作されるため、その使用がさらに簡易になり、取り扱いが向上する。バイブレータが所定の位置に配置されると、ユーザは、リラックスした快適な姿勢をとり、例えばスマートフォンなどからバイブレータ機能をオンにして制御する。スマートフォンとインターネットとのデータ交換を介して、第２の人がバイブレータを遠隔的に制御することも可能である。これは、デバイス使用についての多くの新しい可能性を開く。
【００２２】
さらに、バイブレータの充電プラグは、バッテリを再充電するためにほぼすべてのＵＳＢポートに接続できるように露出可能である。加えてまた、バイブレータのＵＳＢプラグに他のコンタクトを提供することで、例えばメモリユニット若しくは中央処理ユニットにデータが供給される、又はそうしたユニットからデータが伝送されることが可能となる。
【００２３】
本発明は、いくつかの例示的な実施形態の概略的な図に基づいて以下に詳細に説明される。
【図面の簡単な説明】
【００２４】
【図１】図１は、本発明のバイブレータの好ましい実施形態の斜視図を示す。
【図２】図２も、図１の本発明のバイブレータの好ましい例示的実施形態の斜視図を示す。
【図３】図３は、図１のバイブレータの正面図を示す。
【図４】図４は、図１のバイブレータの背面図を示す。
【図５】図５は、図１のバイブレータの下面図を示す。
【図６】図６は、図１のバイブレータの上面図を示す。
【図７】図７は、第１位置における図１のバイブレータの側面図を示す。
【図８】図８は、第２位置における図１のバイブレータの側面図を示す。
【図９】図９は、第２位置の背面からの、図１のバイブレータの斜視図を示す。
【図１０】図１０は、第２位置の正面からの、図１のバイブレータの斜視図を示す。
【図１１】図１１は、締結板を取り外した図１のバイブレータの斜視正面図を示す。
【図１２】図１２は、図１のバイブレータの部品の斜視図を示す。
【発明を実施するための形態】
【００２５】
図１は、本発明のバイブレータ１の好ましい実施形態の、上からの斜視図を示し、バイブレータは前と側とにわずかに傾けられている。バイブレータ１は、前部５、後部７、及び上部領域に締結板１１を備えた、滑らかでわずかに湾曲した筐体３を有する。締結板１１は頭部９において筐体３の前面に配置され、前部５と面一状である。この実施形態における締結板１１は、筐体の締結部１３に磁性締結手段によって着脱可能に接続される。代替的に、スナップボタンまたは他のラッチ型接続手段など、固定機構を備えた他の非磁性締結手段も使用可能である。凡そ締結部１３の高さの筐体３の背面に可撓部１５があり、その機能は以下に詳細に記載される。バイブレータ１の下部領域において、後部７は、バイブレータから身体、特にクリトリス領域にバイブレーションを伝達するように適応された突出部１０を含む。
【００２６】
図２は、バイブレータ１の好ましい実施形態の、図１と類似するがさらに下からの斜視図を示す。簡潔にするため要素は繰り返して説明されない。筐体３の前部５と締結板１１との間の表面移行部は実質的に滑らかである、つまり突出や端部がない、ということが図２において見てとれる。
【００２７】
図３はバイブレータ１の好ましい実施形態の正面図を示す。図４はバイブレータ１の好ましい実施形態の背面図を示し、実質的にバイブレーション部といえる突出部１０が筐体３の後部７の下部領域に配置される。図５は本発明のバイブレータの下からの図を示し、図６はバイブレータ１の好ましい実施形態の上からの図を示す。図３と図５では前部が主な面として見えるが、図４と図６では後部が見える。頭部９に直接的に載置された締結板１１は、図６においても明確に捉えられる。図３〜図６から、バイブレータは、いずれの鋭い端部もない、丸みを帯びた滑らかな表面を有することが把握される。
【００２８】
例えばＲＴＶシリコンなどのシリコンは、バイブレータの筐体３と外部要素の好ましい材料である。シリコンと類似の特性を有する他の熱可塑性エラストマも使用され得る。
【００２９】
図７は、バイブレータ１の好ましい実施形態の側面図を示す。下部領域において、筐体３の後部７における突出部１０は明確に捉えられる。周囲表面からの突出部１０の上昇は、例えば、厚さ１ｍｍ〜５ｍｍの近似範囲であり、表面の寸法、即ちその長さは１０ｍｍ〜３０ｍｍの近似範囲である。これらの値は単に指針（定位）であり、そのため、バイブレータのサイズと材料に応じて、これらの範囲より大きい寸法又は小さい寸法を突出部１０に選択することも可能である。
【００３０】
図７において、締結板１１の下部領域は締結部１３に平らに載置され、締結板１１の上部領域が頭部９に平らに載置されることが見て取れる。本発明のバイブレータの好ましい実施形態において締結板１１がどのように取り付けられるかは、図９〜図１１に関して以下により詳細に記載される。好ましい実施形態の頭部９と後部７との間の移行部は、図８〜図１０に関して以下に記載されるように、ヒンジの一種の機能を担う可撓部１５によって形成される。
【００３１】
図７に関して図８に示される側面図において、締結板１１が取り外され頭部９を開いた、第２の位置における本発明のバイブレータの好ましい実施形態を見ることができる。図８に示される第２の位置は、上部領域に配置された接続素子１７によって、バイブレータがバッテリーを充電するために電源又はエネルギー供給源に接続されるときの配置状態を表す。記載される実施形態では、接続素子１７は、任意の市販の標準的なＵＳＢタイプＡポートに挿入可能であるＵＳＢタイプＡプラグの形態で構成される。締結板１１（図７参照）が取り外されると、接続素子１７はバイブレータの前部に実質的に自由に露出されるが、それでも頭部９によって上と背後とから被覆される。本明細書に記載される実施形態では、頭部９は、可撓部１５によって凡そ筐体３の締結部１３の高さで後部７に接続される。薄肉可撓部１５の可撓性特性によって、頭部９は折り返すか又は裏返されて開けられ、接続素子１７を完全に露出することができる。故に図８に示されるこの位置において、接続素子１７は、バイブレータのバッテリを充電するために、対応する連結部分に接続されることができる。
【００３２】
図８に示される第２の位置の状態は、斜視図で図９に再び示される。頭部９が実質的に１８０度開けられて、接続素子１７を完全に露出することが見て取れる。また、可撓部１５がバイブレータの全幅にわたって延びていることも見て取れる。すべての外部筐体部品がシリコン製であることから、可撓部１５が適切な薄さの壁で構成される場合にその曲げ特性が自動的に得られることは明らかである。
【００３３】
図９において、締結板１１を頭部９に取付ける役割を担う締結デバイスの部品も見て取れる。磁石１９はこのために設けられた凹みに挿入されるか、又は頭部９に押し入れられる。これらの磁石は、好ましい実施形態において、市販の標準的なネオジム磁石として構成される。ネオジム・鉄・ボロン合金のネオジム磁石は非常に強力な磁場強度と高い残留磁気とを有し、このため、（強）磁性締結板１１を固定する目的に実に適切である。
【００３４】
図９のような第２の位置においてバイブレータの好適な実施形態の斜視図を示す図１０では、前からの図で、筐体３の上部外側部のそれぞれに締結部１３があることが同様に見て取れ、磁石１９がこれらの部分のそれぞれの対応する凹みに押し入れられる。つまり、これらの磁石は前向きである。図９において示される頭部９の磁石１９のように、これらの磁石は締結板１１をその適切な位置に保持する役割をする。
【００３５】
図１１は、締結板１１を所定の位置に設置して磁石１９により適切な位置に保持する前の配置における、バイブレータ１の好ましい実施形態を示す。図１０においても見受けられるように、締結板１１は実質的に横断する端部に設置されるので、筐体３の前部と面一状である。締結板１１は背面において接続素子１７と面一状であり、コンタクト素子１８（図１１では見えない）が接続素子１７の背面又は背後に配置される。図８〜図１０に示されるものとは異なり、頭部９はここでは通常の位置に閉じられており、接続素子１７の上部領域を保護するように封入する。ここで示される実施形態における頭部９の磁石１９は、接続素子１７のすぐ右と左とに配置されるので、全部で４つの磁石１９が締結板１１を固定するために設けられる。接続素子１７に近接する磁石１９の位置により、頭部９により提供されるカバーが接続素子１７を特に効果的に保護する。締結板１１を固定するため、４つより少ないか又は多い磁性要素が頭部９又は筐体３の他の部分にも配置され得ることは明らかである。締結板１１の材料は、例えば前面即ち可視側にブランド名又はロゴを含み得る、好ましくは１．５ｍｍの厚さのハイグレードフェライト鋼である。
【００３６】
上述されたことから、可撓部１５を備えた頭部９の後部壁を含む、バイブレータ筐体３の後ろ側、即ち後部７は、完全に閉じられた面になるということが容易に理解可能である。この背面全体がユーザの身体に直接的に載置され、このため任意の端部、溝、又は他の変則部を有するべきではないという理由から、これは特に重要である。
【００３７】
図１２は本発明のバイブレータの好ましい実施形態における「内部構造」を示し、後部と締結板１１とは図１２に図示されない。筐体３内部の上部領域には、３００ｍＡｈの容量を有するリチウムイオン又はリチウムポリマーバッテリとして好ましくは構成される電源又は蓄電ユニット２１がある。その下では、電子回路部品の形態で制御、メモリ、及び通信のユニットのすべてを実質的に包含するプリント回路基板又はＰＣＢ２３が接続される。特に、回路基板２３は、中央処理ユニットと、双方向の無線通信を担うＢｌｕｅｔｏｏｔｈ（登録商標）モジュールとして構成された通信素子とを含む。Ｂｌｕｅｔｏｏｔｈ（登録商標）モジュールは、バイブレータのすべての制御機能を伝達するように構成される。つまりこれは追加のメモリ素子が回路基板２３に必ずしも必要ではないことを意味する。このすべての要素がウェブ、プレート、凹み、及び突出部を使用して筐体に設けられ、筐体の一体的部品として好ましくは構成される。結果として、電子部品と電子連結素子（図示せず）とは筐体内に永続的に押止され、そこに固定される。
【００３８】
下部には電気モータ２５が配置され、これは駆動軸に載置された偏心ウエイトを備えたバイブレーションモータとして構成される。本明細書に示される実施形態において、単一のバイブレーションモータ２５のみがバイブレータ１の内部に示されるが、モータのサイズと利用可能な空間次第で、バイブレータに２以上の小型バイブレーションモータ２５を配置することも可能である。バイブレーションモータ２５が、筐体３の後部７における突出部１０と実質的に同じ領域に配置されるということが見て取れ、これはバイブレーションの多くは突出部１０の領域で発生するということを意味する。また、小型バイブレーションモータがバイブレータ１の背面の他の部分に配置され得るということも考えられる。図１２において周辺の溝も見て取れ、その溝には、別の筐体部品として構成された後部において対応して配置された突出部が挿入可能であるので、部品間での連結が確実におこなわれる。
【００３９】
提示される好ましい実施形態では、バイブレータの厚みが、その多くの範囲で約９ｍｍであり、突出部１０領域の下部では約１２ｍｍである。バイブレータの全体的な幅は約５２ｍｍであり、突出部１０の下部における幅は約２０ｍｍである。また、本明細書に提示されるデザイン用に他の寸法が選択され得るが、特に、厚みをさらに薄くすることが可能であり、バイブレータの長さと幅とをさらに小さいものにすることができる。デバイスがより小さい寸法になると、ユーザがこれを身体に用いることがより便利になるので、このことは特に重要である。さらに、バイブレータは可能な限り小さいこと、また容易に持ち運べるように十分に軽いことが必要とされる。
【００４０】
バイブレータ１を衣類、好ましくは女性の下着に締結又は固定することは、まず締結板１１を取り外し、そして、バイブレータの突出部１０が敏感な身体領域に可能な限り近接してそれらの領域にバイブレーションを伝達可能であるようにバイブレータを例えば膣領域などの身体に配置することで、有利におこなわれる。配置ステップの後、締結板１１がバイブレータの上部の上に配置された下着布地部の上に配置されて、下着の内面（布地の身体に面した面）に面したバイブレータの筐体３又は頭部９の磁石１９が金属の締結板１１を引き付け、結果として締結板１１の下端部がバイブレータの前部５の上端部と好ましくは係合する。このように、バイブレータと締結板１１との間にある下着布地の領域は堅固に固定される。つまり、バイブレータは所望の位置で確実に固定されるが、単に締結板を（簡単に）取り除き、バイブレータを所望されるように再配置した後、板を再び設置することで、ユーザにより容易に移動、再配置、又は取り外しされることができる。この締結方法は、ポケット又はロック要素等の追加要素を必要とせず、故に非常に簡易で安価である。
【００４１】
本発明のバイブレータは、Ｔバックショーツ、スリップ、タンガ、ショーツ、ビキニ、ボディストッキングなどの多様な種々のタイプの下着と併せて用いられることができる。
【００４２】
上述の実施形態の代替として、締結板は、バイブレータの上部に必ずしも配置される必要はなく、代わりに中央部分でその機能を実行することが可能である。このため、筐体の保持磁石は平らに作製可能である。また、保持機能を向上するために２つ以上の締結板を使用することも可能である。
【００４３】
代替として、磁性締結システムとは異なる締結手段を用いることができる。例として、下着の布地を十分な力で固定し、且つ再び取り外すことも簡単にできるインターロックスナップボタン、はとめなどが使用可能である。
【００４４】
また、バイブレータは異なる基本となる外形を有し得り、例として、８の字の形態で作製される、つまり、広い上部領域と下部領域との間に狭いくびれ部分を有することができる。
【００４５】
本発明において、小さい寸法で簡単な構造のバイブレータが提供され、該バイブレータは、安価に作製可能であり、無線データ交換に適応され、故に無線で操作可能であり、そしてその動作位置に容易に固定できる。
【図１】
0006336207.tif 000002
【図２】
0006336207.tif 000003
【図３】
0006336207.tif 000004
【図４】
0006336207.tif 000005
【図５】
0006336207.tif 000006
【図６】
0006336207.tif 000007
【図７】
0006336207.tif 000008
【図８】
0006336207.tif 000009
【図９】
0006336207.tif 000010
【図１０】
0006336207.tif 000011
【図１１】
0006336207.tif 000012
【図１２】
0006336207.tif 000013